(57)【特許請求の範囲】
【請求項１】
建物外壁に形成された出入口用の開口部に建具枠が取り付けられる建物の建具枠取付構造であって、
前記建物外壁は、外壁面材及び外壁フレームを有してなる複数の外壁部材と、前記外壁部材の屋内側に設けられる内壁部材とを備え、隣合う前記外壁部材においては前記外壁フレーム同士が連結されており、
前記開口部に隣接する前記外壁部材の前記外壁フレームには、前記建具枠の取り付け用下地となる下地フレームが固定され、その下地フレームの屋外側において前記外壁面材に横並びとなる位置に前記建具枠が設けられており、
前記下地フレームにおいて屋内側に面する屋内側面は、前記外壁フレームの屋内側面に対して壁厚み方向に同じ位置に在るのに対し、屋外側に面し前記建具枠の取付面となる屋外側面は、前記外壁フレームの屋外側面に対して屋内側にずれており、前記外壁面材と前記建具枠との間の目地にガスケットが取り付けられており、
前記建具枠は、前記外壁面材の端面に対向しその端面との間に前記目地を形成する側面部を有しており、
前記側面部が、前記建物外壁の面内方向において前記外壁面材の端面と前記外壁フレームとにそれぞれ対向するようにして、前記建具枠が前記下地フレームに対して固定されており、
前記建具枠は、前記外壁フレームと前記下地フレームとの接合の境界部付近において前記下地フレームに対する止水を行う止水部を有しており、
前記止水部は、前記側面部よりも前記外壁フレームの側に突出する突出部に設けられており、
前記建具枠において、前記側面部は前記外壁フレームに対して離間しているのに対し、前記突出部は前記外壁フレームに対して当接していることを特徴とする建物の建具枠取付構造。
【請求項２】
建物外壁に形成された出入口用の開口部に建具枠が取り付けられる建物の建具枠取付構造であって、
前記建物外壁は、外壁面材及び外壁フレームを有してなる複数の外壁部材と、前記外壁部材の屋内側に設けられる内壁部材とを備え、隣合う前記外壁部材においては前記外壁フレーム同士が連結されており、
前記開口部に隣接する前記外壁部材の前記外壁フレームには、前記建具枠の取り付け用下地となる下地フレームが固定され、その下地フレームの屋外側において前記外壁面材に横並びとなる位置に前記建具枠が設けられており、
前記下地フレームにおいて屋内側に面する屋内側面は、前記外壁フレームの屋内側面に対して壁厚み方向に同じ位置に在るのに対し、屋外側に面し前記建具枠の取付面となる屋外側面は、前記外壁フレームの屋外側面に対して屋内側にずれており、前記外壁面材と前記建具枠との間の目地にガスケットが取り付けられており、
前記建具枠は、前記外壁面材の端面に対向しその端面との間に前記目地を形成する側面部を有しており、
前記側面部が、前記建物外壁の面内方向において前記外壁面材の端面と前記外壁フレームとにそれぞれ対向するようにして、前記建具枠が前記下地フレームに対して固定されており、
前記建具枠は、前記外壁フレームと前記下地フレームとの接合の境界部付近において前記下地フレームに対する止水を行う止水部を有しており、
前記止水部は、前記側面部よりも前記外壁フレームの側に突出する突出部に設けられており、
前記建具枠は、戸部材の周端面に対向する枠本体と、その枠本体を挟んで前記戸部材の反対側に設けられる目板部材とを有しており、
前記枠本体は、前記目板部材の屋内側において前記下地フレームに重なる延出部を有し、
前記枠本体に対して前記目板部材が一体化されており、前記延出部の先端部が前記突出部として、前記目板部材により形成される前記側面部よりも前記外壁フレームの側に突出していることを特徴とする建物の建具枠取付構造。
【請求項３】
前記建具枠は、戸部材の周端面に対向する枠本体と、その枠本体を挟んで前記戸部材の反対側に設けられる目板部材とを有しており、
前記枠本体は、前記目板部材の屋内側において前記下地フレームに重なる延出部を有し、
前記枠本体に対して前記目板部材が一体化されており、前記延出部の先端部が前記突出部として、前記目板部材により形成される前記側面部よりも前記外壁フレームの側に突出していることを特徴とする請求項１に記載の建物の建具枠取付構造。
【請求項４】
前記外壁フレーム及び前記下地フレームはそれぞれ溝形鋼よりなり、それら各フレームのウェブ同士を接合させて一体に結合されており、
前記下地フレームとして、ウェブ幅が前記外壁フレームのウェブ幅よりも小さいものを用いていることを特徴とする請求項１乃至３のいずれか１項に記載の建物の建具枠取付構造。
【発明の詳細な説明】
【技術分野】
【０００１】
本発明は、建物の建具枠取付構造に関するものである。
【背景技術】
【０００２】
例えば建物の出入口である玄関の構造として、建物外壁に開口部を設け、その開口部に玄関用建具枠としてのドア枠と戸部材としてのドア本体とを取り付ける構成が知られている。また、建具枠の取付構造として具体的には、外壁面材を支持する外壁フレームに対して建具枠の取り付け用下地となる下地フレームを固定し、その下地フレームの屋外側に建具枠を取り付ける構成が知られている。外壁フレームに対して下地フレームを固定することで、内壁部材の取り付けのための納まりを簡易化できる。そして、外壁面材と建具枠との間に形成された目地には湿式のシール材が充填され、そのシール材により当該目地が止水されるようになっている。
【０００３】
例えば特許文献１には、建物の躯体に対してドアフレームを取り付ける構成として、建物躯体に取り付けられるフレーム体と、そのフレーム体に取り付けられるドア枠体とを有する構成とし、そのドア枠体内に開閉自在なドア本体が納められる構成が開示されている。
【先行技術文献】
【特許文献】
【０００４】
【特許文献１】特許第５４１９７９０号公報
【発明の概要】
【発明が解決しようとする課題】
【０００５】
ところで、一般に、建物外壁において隣合う外壁面材同士により形成される目地では、定形シール材であるガスケットが止水手段として用いられるのに対し、ドア枠周りにおいて外壁面材との間に形成される目地では、湿式のシール材が止水手段として用いられる。これは、ドア枠周りにおいてはドア枠の形状に依存して目地空間が形成されることから、定形シール材の設置が困難になるためであると考えられる。また、ドア枠において目地空間内に突出する突出部が存在していると、その突出部により定形シール材が押しつぶされ、それに起因して定形シール材が破損することが懸念される。
【０００６】
本発明は上記事情を鑑みてなされたものであり、その主たる目的は、構成の簡易化を図りつつも、建具枠周りにおける外壁面材との間の目地において高い止水性能を確保することができる建物の建具枠取付構造を提供することにある。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００８】
第１の発明は、建物外壁（１１）に形成された出入口用の開口部（１２）に建具枠（１４）が取り付けられる建物（１０）の建具枠取付構造であって、
前記建物外壁は、外壁面材（２２）及び外壁フレーム（２３）を有してなる複数の外壁部材（２１）と、前記外壁部材の屋内側に設けられる内壁部材（２４）とを備え、隣合う前記外壁部材においては前記外壁フレーム同士が連結されており、
前記開口部に隣接する前記外壁部材の前記外壁フレームには、前記建具枠の取り付け用下地となる下地フレーム（３１）が固定され、その下地フレームの屋外側において前記外壁面材に横並びとなる位置に前記建具枠が設けられており、
前記下地フレームにおいて屋内側に面する屋内側面は、前記外壁フレームの屋内側面に対して壁厚み方向に同じ位置に在るのに対し、屋外側に面し前記建具枠の取付面となる屋外側面は、前記外壁フレームの屋外側面に対して屋内側にずれており、前記外壁面材と前記建具枠との間の目地にガスケット（２７）が取り付けられていることを特徴とする。
【０００９】
建物外壁の開口部に建具枠が取り付けられる場合、構成の簡素化を図る上では、隣合う外壁部材で外壁フレーム同士が固定されるのと同様に、外壁フレームと下地フレームとが固定される構成であることが望ましい。この場合、下地フレームの屋内側面と外壁フレームの屋内側面とが壁厚み方向に同じ位置に在ることで、外壁部材の屋内側エリアから建具枠の屋内側エリアまでにおいてフレームの同一面を基準にして内壁部材を設けることができ、開口部付近の内壁部材の取り付けが容易となる。
【００１０】
また、建具枠周りの止水構造に関しては、外壁部材の外壁面材と建具枠とが横並びとなり、それら両者の間に形成される目地にガスケット（定形止水部材）が設けられる。この場合、建具枠の形状や位置に依存して、ガスケットに対して偏った押しつけが生じ、ガスケットに破損等の不都合が生じることが懸念される。
【００１１】
この点、本発明では、下地フレームにおいて屋外側に面し建具枠の取付面となる屋外側面が、外壁フレームの屋外側面に対して屋内側にずれているため、建具枠において形状等の影響を受けにくい部位で目地が形成されることになる。そのため、ガスケットに対する偏った押しつけ等が生じることが抑制でき、外壁面材と建具枠との間の目地において適切にガスケットを取り付けることができる。以上により、構成の簡易化を図りつつも、建具枠周りにおける外壁面材との間の目地において高い止水性能を確保することができる。
【００１２】
第２の発明は、前記建具枠は、前記外壁面材の端面に対向しその端面との間に前記目地を形成する側面部を有しており、前記側面部が、前記建物外壁の面内方向において前記外壁面材の端面と前記外壁フレームとにそれぞれ対向するようにして、前記建具枠が前記下地フレームに対して固定されていることを特徴とする。
【００１３】
上記構成では、建具枠の側面部が、建物外壁の面内方向において外壁面材の端面だけでなく外壁フレームにも対向している。こうした構成を採用することで、建具枠の側面部において隅角部でなく平坦な中間部分により目地が形成される。したがって、外壁面材の端面と建具枠の側面部との二面によりガスケットが適正な接触状態で挟持され、やはり外壁面材と建具枠との間の目地において適切にガスケットを取り付けることができる。
【００１４】
第３の発明は、前記建具枠は、前記外壁フレームと前記下地フレームとの接合の境界部付近において前記下地フレームに対する止水を行う止水部（４９）を有しており、前記止水部は、前記側面部よりも前記外壁フレームの側に突出する突出部（４１ｃ）に設けられていることを特徴とする。
【００１５】
上記構成では、建具枠に、外壁フレームと下地フレームとの接合の境界部付近において下地フレームに対する止水を行う止水部が設けられているため、建具枠と下地フレームとの間からの雨水等の浸入を抑制できる。この場合、外壁面材と建具枠との間の目地のガスケットを一次シール、建具枠において下地フレームに対する止水部を二次シールとすることで、建具枠周りにおいて適切な止水構造を実現できる。
【００１６】
ここで、建具枠において側面部よりも外壁フレームの側に突出する突出部に止水部が設けられている構成であると、外壁フレームと下地フレームとの接合の境界部付近を止水部により止水する上で好ましい構成となる。またこの場合、建具枠の止水部が目地側に突出して設けられる構成では、突出部分（止水部）と目地内のガスケットとの干渉が懸念されるが、上記のとおり下地フレームの屋外側面が外壁フレームの屋外側面に対して屋内側にずれているため、突出部分（止水部）とガスケットとが干渉せず、干渉に起因するガスケットの破損等を抑制できる。
【００１７】
第４の発明は、前記建具枠において、前記側面部は前記外壁フレームに対して離間しているのに対し、前記突出部は前記外壁フレームに対して当接していることを特徴とする。
【００１８】
建具枠においてその側面部が外壁フレームに対して離間しているため、外壁面材と建具枠の側面部との間に目地を形成する上で、所望とする目地寸法の確保が容易となる。また、突出部が外壁フレームに対して当接しているため、止水部の位置が極力、外壁フレームの側に寄り、外壁フレームと下地フレームとの境界部における止水性能を確保する上で有利となる。
【００１９】
第５の発明は、前記建具枠は、戸部材（１５）の周端面に対向する枠本体（４１）と、その枠本体を挟んで前記戸部材の反対側に設けられる目板部材（４２，４３）とを有しており、前記枠本体は、前記目板部材の屋内側において前記下地フレームに重なる延出部（４１ｃ）を有し、前記枠本体に対して前記目板部材が一体化されており、前記延出部の先端部が前記突出部として、前記目板部材により形成される前記側面部よりも前記外壁フレームの側に突出していることを特徴とする。
【００２０】
上記構成では、建具枠が、建具の周端面に対向する枠本体と、その枠本体を挟んで戸部材の反対側に設けられる目板部材とを含む構成となっており、さらに枠本体が延出部を有している。この場合、延出部が、目板部材の屋内側において下地フレームに重なるようにして延びているため、下地フレームに対する延出部の固定（ひいては止水部の固定）を容易に実施できる。また、枠本体に対して目板部材が一体化された状態で、延出部の先端部が突出部となり、目板部材の側面部よりも外壁フレームの側に突出するため、外壁フレームと下地フレームとの接合の境界部付近において好適な止水を実現できる。
【００２１】
第６の発明は、前記外壁フレーム及び前記下地フレームはそれぞれ溝形鋼よりなり、それら各フレームのウェブ同士を接合させて一体に結合されており、前記下地フレームとして、ウェブ幅が前記外壁フレームのウェブ幅よりも小さいものを用いていることを特徴とする。
【００２２】
上記構成では、下地フレームのウェブ幅が外壁フレームのウェブ幅よりも小さいため、下地フレームの屋内側面が、外壁フレームの屋内側面に対して壁厚み方向に同じ位置に在り、かつ、下地フレームの屋外側面が、外壁フレームの屋外側面に対して屋内側にずれているといった構成を簡易に実現できる。
【図面の簡単な説明】
【００２３】
【図１】玄関ドア周辺の構成を示す横断面図。
【図２】外壁の基本構造を示す横断面図。
【図３】外壁の開口部付近の構成を示す横断面図。
【図４】ドア枠を分解して示す横断面図。
【図５】（ａ）は外壁の開口部付近における比較例の構成を示す横断面図、（ｂ）はドア枠周りの目地の構成を示す横断面図。
【発明を実施するための形態】
【００２４】
以下、本発明を具体化した一実施形態について図面を参照しつつ説明する。本実施形態では、建物としてユニット式建物について具体化しており、そのユニット式建物は、梁及び柱よりなる複数の建物ユニットを互いに連結することで構成されている。図１は、玄関ドア周辺の構成を示す横断面図である。
【００２５】
図１に示すように、住宅等の建物１０は、屋内と屋外とを仕切る外壁１１を備えている。外壁１１には、玄関を形成するための開口部１２が設けられている。開口部１２の周縁部には、建具枠としてのドア枠１４が取り付けられており、ドア枠１４の内側が人の出入りを可能とする玄関口となっている。ドア枠１４は門形状をなしており、左右一対の縦枠部とその上端部を繋ぐ上枠部とを備えて構成されている。ドア枠１４には、戸部材としてのドア本体１５が開閉可能な状態で配設されている。
【００２６】
外壁１１は、複数の外壁部材とその屋内側の内壁部材とを用いて構成されており、図２に外壁１１の基本構造を示す。図２に示すように、外壁１１は、外壁部材としての外壁パネル２１と、その屋内側の内壁部材としての内壁パネル２４とを有している。
【００２７】
外壁パネル２１は、窯業系サイディングボード等よりなる外壁面材２２と、その背面側に設けられ、軽量形鋼（溝形鋼）よりなる複数のフレーム材にて形成された外壁フレーム２３とを有している。周知構成のため、図示による説明は割愛するが、外壁フレーム２３は、外壁面材２２の幅方向両端部に沿って設けられる縦フレーム部と、外壁面材２２の上下方向両端部に沿って設けられる横フレーム部と、それら各フレーム部の内側に所定間隔で設けられる中間フレーム部とを有しており、これらが格子状に連結されている。図２においては、外壁フレーム２３の断面として縦フレーム部が示されている。
【００２８】
隣合う外壁パネル２１は、各外壁パネル２１の外壁フレーム２３同士が接合され、ボルト等の締結具（図示略）を用いて互いに締結されている。外壁パネル２１は、外壁フレーム２３の上端部及び下端部が建物ユニットの天井大梁及び床大梁にそれぞれ連結されることで、建物ユニットに対して固定されている。隣合う外壁パネル２１において各外壁面材２２の間には目地が形成されており、その目地には定形止水部材としてのガスケット２７が取り付けられている。
【００２９】
また、内壁パネル２４は、石膏ボード等よりなる内壁面材２５と、その背面側（屋外側）の内壁フレーム２６とを有している。内壁フレーム２６は、木製の角材からなる複数のフレーム材が矩形枠状に連結されることにより構成されている。図２においては、内壁フレーム２６の断面として縦フレーム部が示されている。
【００３０】
そして、外壁パネル２１に対する内壁パネル２４の取り付けの構成として、外壁フレーム２３の屋内側面、詳しくは隣合う外壁パネル２１の外壁フレーム２３同士の接合部の屋内側面には複数の木レンガ２８が固定されるとともに、その木レンガ２８に対して内壁フレーム２６が固定されている。なお、木レンガ２８は、略直方体形状の木材からなる外壁下地材である。
【００３１】
その他、内壁面材２５の背面側には、内壁フレーム２６の枠内部に組み込まれるようにして、グラスウール等よりなる壁内断熱材２９が取り付けられている。
【００３２】
次に、外壁１１の開口部付近における納まりを説明する。図３は、外壁１１の開口部付近の構成を示す横断面図である。図３では、図の左部分に図２で説明した外壁パネル２１と内壁パネル２４とが示されており、その右側にドア枠１４とその周辺構成とが示されている。
【００３３】
外壁１１において最も開口部寄りの外壁フレーム２３、すなわち開口部１２に隣接する外壁パネル２１の外壁フレーム２３には、ドア枠１４の取り付け用下地となる下地フレーム３１が連結されている。下地フレーム３１は、外壁フレーム２３と同様に軽量形鋼（溝形鋼）よりなり、外壁フレーム２３同士の連結構造と同様に、下地フレーム３１及び外壁フレーム２３のウェブ同士が接合された状態で、これら両フレーム２３，３１がボルト等の締結具３２を用いて互いに締結されている。
【００３４】
下地フレーム３１の溝部内には、この下地フレーム３１に対してドア枠１４を固定するための支持金具３３が固定されている。支持金具３３は、下地フレーム３１に対して溶接等により固定されており、下地フレーム３１を構成する溝形鋼の開口部側に、ドア枠支持のための支持面を形成するものとなっている。
【００３５】
外壁フレーム２３と下地フレーム３１とは屋内側面が面一になっている。つまり、外壁フレーム２３と下地フレーム３１とは、屋内側フランジが壁厚み方向で同一位置にて横並びとなっている。そして、その屋内側面には、外壁フレーム２３同士の接合部と同様に、複数の木レンガ３４が固定されている。また、その木レンガ３４に対して、内壁パネル２４の延長部分２４ａが固定されている。つまり、外壁開口部の周縁部には、外壁パネル２１よりなる外壁端部よりも横方向に延長されて内壁パネル２４が設けられており、木レンガ３４に対して延長部分２４ａが固定されている。
【００３６】
下地フレーム３１としては、外壁フレーム２３に比べてウェブ幅が小さい溝形鋼が用いられている。これにより、下地フレーム３１の屋内側面は、外壁フレーム２３の屋内側面に対して壁厚み方向に同じ位置に在るのに対し、下地フレーム３１の屋外側面は、外壁フレーム２３の屋外側面に対して屋内側にずれる構成となっている。
【００３７】
内壁パネル２４の開口側端部には、玄関口を囲んで設けられる化粧枠３５が設けられている。また、木レンガ３４と化粧枠３５との間には、ドア枠周辺の断熱性を確保するための断熱材３６が設けられている。
【００３８】
ドア枠１４は、下地フレーム３１の屋外側において外壁面材２２に横並びとなる位置に設けられており、以下、そのドア枠１４の構成について説明する。なお、図４は、ドア枠１４を分解して示す横断面図である。ここでは図３及び図４を参照しつつドア枠１４の構成を説明する。
【００３９】
ドア枠１４は、大別して縦枠本体４１と縦枠目板４２と目板受け４３とを有しており、これら各部材が互いに結合された一体物が屋外側から下地フレーム３１に取り付けられている。縦枠本体４１は、ドア本体１５の隣位置においてこのドア本体１５の周囲端面に対向するように設けられている。縦枠目板４２は、縦枠本体４１と外壁面材２２との間において屋外側の仕上げ面を形成すべく設けられている。目板受け４３は、縦枠本体４１に対して縦枠目板４２を一体化した状態で、その縦枠目板４２を支持すべく設けられている。縦枠本体４１、縦枠目板４２及び目板受け４３は、いずれも上下方向に延びる長尺状をなし、アルミニウム等の金属材料により形成されている。ただし、これら各部材が、金属材料以外に、合成樹脂材料により形成されていてもよい。なお、縦枠目板４２と目板受け４３とが目板部材に相当する。
【００４０】
縦枠本体４１のより詳細な構成を説明する。縦枠本体４１において、ドア本体１５の周囲端面に対向する部位は、中空柱状をなし横断面が略長方形状である対向部４１ａとなっている。この場合、対向部４１ａにおいて屋内側の側面には、断面Ｌ字状のブラケット４４がボルト等の締結具４５により固定されているとともに、そのブラケット４４が、下地フレーム３１に一体に設けられた支持金具３３に対してビス等の固定具４６により固定されている。
【００４１】
また、縦枠本体４１は、対向部４１ａ以外に、その対向部４１ａから屋内側に延びる屋内側延出部４１ｂと、外壁パネル２１側に延びる外壁側延出部４１ｃとを有している。屋内側延出部４１ｂは、ドア本体１５の屋内側に設けられるドア用ウエザストリップ４７を支持する部位である。
【００４２】
外壁側延出部４１ｃは目板受け４３が結合される部位である。また、外壁側延出部４１ｃは、目板受け４３の屋内側において下地フレーム３１の屋外側フランジに重なるようにして延びる部位であり、言い換えれば、目板受け４３と下地フレーム３１との間においてこれら両者に重なる部位である。外壁側延出部４１ｃに対して目板受け４３が結合された状態では、外壁側延出部４１ｃの側に設けられた被係合部４１ｄに、目板受け４３の側に設けられた係合部４３ａが係合し、これにより両部材の結合状態が保持されるようになっている。また、外壁側延出部４１ｃに対して目板受け４３が結合された状態ではそれらが壁厚み方向に重なり合い、その状態で、外壁側延出部４１ｃと目板受け４３とが下地フレーム３１に対してビス４８により固定されている。
【００４３】
また、外壁側延出部４１ｃの先端部には、屋内側、すなわち下地フレーム３１に対向する側に収容部４１ｅが形成されており、その収容部４１ｅに長尺板状のガスケット４９が収容されている。この場合、下地フレーム３１に対して縦枠本体４１が取り付けられた状態では、ガスケット４９により、下地フレーム３１の屋外側フランジ面に対するシール（止水）が施されるようになっている。
【００４４】
縦枠本体４１に対して目板受け４３を一体化した状態では、外壁側延出部４１ｃの先端部が目板受け４３の端面（側面部に相当）よりも突出し、その先端部が外壁フレーム２３のウェブ外面に当接している。これにより、ドア枠１４においてより外壁パネル２１側、すなわち外壁フレーム２３と下地フレーム３１との接合の境界部付近での止水が可能となっている。この場合、外壁面材２２とドア枠１４との間の目地のガスケット２７を一次シール、外壁側延出部４１ｃのガスケット４９を二次シールとすることで、ドア枠１４周りにおいて止水強化が図られている。
【００４５】
なお、外壁フレーム２３の屋外側フランジから下地フレーム３１の屋外側フランジにかけては連続的に止水シート５０が貼着されている。この場合、外壁フレーム２３の屋外側フランジの側では、外壁フレーム２３と外壁面材２２との間に止水シート５０が挟まれ、下地フレーム３１の屋外側フランジの側では、下地フレーム３１と外壁側延出部４１ｃとの間に止水シート５０が挟まれている。
【００４６】
そして、目板受け４３に対して縦枠目板４２が取り付けられている。この場合、目板受け４３に対して縦枠目板４２が結合された状態では、目板受け４３の側に設けられた被係合部４３ｂに、縦枠目板４２の側に設けられた係合部４２ａが係合し、これにより両部材の結合状態が保持されるようになっている。また、目板受け４３に対して縦枠目板４２が結合された状態では、縦枠本体４１の側に設けられた突起部４１ｆに、縦枠目板４２の側に設けられた引っ掛け部４２ｂが引っ掛けられ、これにより縦枠本体４１に対する縦枠目板４２の一体化が図られている。縦枠目板４２と目板受け４３とが一体化された状態では、これら各部材の外壁パネル２１側の側面（図の左側面）により略面一の平坦面が形成されている。
【００４７】
また、外壁１１にドア枠１４を取り付けた状態では、そのドア枠１４の周りの目地の止水、すなわち外壁面材２２の玄関側端面とドア枠１４の側面との間の目地の止水を図る必要があり、本実施形態では、当該目地において、外壁面材２２同士の目地と同様に、ガスケット２７を用いた止水構造を用いることとしている。つまり、一般には、玄関ドア周りの目地においては、外壁面材２２同士の目地とは異なり、コーキング材等を用いた湿式シールが設けられることがあるが、本実施形態では、この湿式シールに代えて乾式シールによる止水を行うこととしている。なお、外壁面材２２同士の目地に設けられるガスケット２７と、ドア枠１４周りの目地に設けられるガスケット２７とは断面形状を含めて同じ部材であってもよいし、異なる部材であってもよい。
【００４８】
以下、ドア枠１４周りの止水構造について詳しく説明する。なおここでは、止水構造の比較例として図５の構成を先に説明し、その後に本実施形態の構成を説明する。図５において（ａ）は外壁１１の開口部付近における比較例の構成を示す横断面図、（ｂ）はドア枠周りの目地の構成を示す横断面図である。
【００４９】
図５（ａ）では、図３の構成と比較して下地フレーム３１の構成が相違しており、図３の構成では、下地フレーム３１として、外壁フレーム２３よりも小さいサイズの溝形鋼（すなわちウェブ幅の小さい溝形鋼）が用いられているのに対し、図５（ａ）の構成では、下地フレーム３１Ａとして、外壁フレーム２３と同じサイズの溝形鋼が用いられている。この場合、外壁フレーム２３と下地フレーム３１Ａとは、屋外側フランジが壁厚み方向で同一位置にて横並びとなっており、その状態で、外壁面材２２の玄関側端面とドア枠１４の側面との間の目地にガスケット２７Ａが設けられている。
【００５０】
ここで、外壁面材２２の玄関側端面とドア枠１４の側面との間には、ドア枠１４の形状に依存して目地空間（すなわちガスケット２７Ａの収容空間）が形成されるようになっており、図５の構成では、上述したとおり外壁側延出部４１ｃの先端部が目板受け４３の端面よりも突出していることから、外壁側延出部４１ｃの先端部により目地空間の一部が狭められている（図５（ｂ）参照）。つまり、外壁面材２２の玄関側端面とドア枠１４の側面との間には、所定の幅寸法（例えば１０ｍｍ）の目地が形成されているが、外壁側延出部４１ｃの先端部のはみ出しにより局部的に目地幅が狭くなっている。
【００５１】
したがって、図５の構成では、外壁面材２２の玄関側端面とドア枠１４の側面との間の目地空間にガスケット２７Ａを収容した状態で、そのガスケット２７Ａの一部が外壁側延出部４１ｃの先端部により押しつぶされる。つまり、ガスケット２７と外壁側延出部４１ｃとの干渉が生じている。これにより、ガスケット２７Ａに破損が生じ、止水性能が低下することが懸念される。
【００５２】
これに対して本実施形態の構成では、図３に示すように、下地フレーム３１として、外壁フレーム２３よりも小さいサイズの溝形鋼（すなわちウェブ幅の小さい溝形鋼）が用いられているため、外壁側延出部４１ｃの先端部がはみ出していてもその構成に関係なくガスケット２７が好適に設けられている。
【００５３】
つまり、図３の構成では、外壁フレーム２３の屋外側フランジに対して、下地フレーム３１の屋外側フランジが屋内側にずれており、これにより、外壁フレーム２３のウェブに対してドア枠１４（詳しくは目板受け４３）が対向する構成となっている。そしてその状態で、外壁面材２２の玄関側端面とドア枠１４の側面との間の目地にガスケット２７が設けられている。この場合、ガスケット２７の収容部分には外壁側延出部４１ｃの先端部が存在しなくなり、ガスケット２７と外壁側延出部４１ｃとの干渉が回避されている。
【００５４】
外壁フレーム２３のウェブ幅と下地フレーム３１のウェブ幅との差、すなわち外壁フレーム２３に対する下地フレーム３１の屋外側のセットバック量は、例えば５〜２０ｍｍであるとよい。外壁フレーム２３と下地フレーム３１とのウェブ幅の差に応じて、外壁面材２２に対するドア枠１４の屋外突出量が変わる。この場合、下地フレーム３１のウェブ幅を外壁フレーム２３のウェブ幅よりも小さくした分、ドア枠１４の屋外突出量が減じられている。
【００５５】
以上詳述した本実施形態によれば、以下の優れた効果が得られる。
【００５６】
外壁１１におけるドア枠１４の取付構造において、下地フレーム３１の屋内側面と外壁フレーム２３の屋内側面とが壁厚み方向に同じ位置に在ることで、外壁パネル２１の屋内側エリアからドア枠１４の屋内側エリアまでにおいて各フレーム２３，３１の同一面を基準にして内壁パネル２４を設けることができ、開口部付近の内壁パネル２４の取り付けが容易となる。
【００５７】
また、ドア枠１４周りの止水構造に関しては、下地フレーム３１の屋外側面が、外壁フレーム２３の屋外側面に対して屋内側にずれているため、ドア枠１４において形状等の影響を受けにくい部位で目地が形成されることになる。そのため、ガスケット２７に対する偏った押しつけ等が生じることが抑制でき、外壁面材２２とドア枠１４との間の目地において適切にガスケット２７を取り付けることができる。以上により、構成の簡易化を図りつつも、ドア枠１４周りにおける外壁面材２２との間の目地において高い止水性能を確保することができる。
【００５８】
また、下地フレーム３１の屋外側面が、外壁フレーム２３の屋外側面に対して屋内側にずれているため、下地フレーム３１に対してドア枠１４を取り付けた状態で、ドア枠１４の屋外突出量が減じられる。したがって、例えばユニット製造工場において建物ユニットにドア枠１４を先付けする場合において、建物ユニットの輸送時におけるドア枠１４の損傷を抑制できる等の効果が得られる。
【００５９】
ドア枠１４を、外壁面材２２の端面に対向する側の側面部（詳しくは、縦枠目板４２及び目板受け４３の側面部）が、外壁１１の面内方向において外壁面材２２の端面と外壁フレーム２３とにそれぞれ対向するようにして下地フレーム３１に対して固定する構成とした。これにより、ドア枠１４の側面部においては隅角部でなく中間部分により目地が形成される。したがって、外壁面材２２の端面とドア枠１４の側面部との二面によりガスケット２７が適正な接触状態で挟持され、やはり外壁面材２２とドア枠１４との間の目地において適切にガスケット２７を取り付けることができる。
【００６０】
ドア枠１４に、外壁フレーム２３と下地フレーム３１との接合の境界部付近において下地フレーム３１に対する止水を行うガスケット４９を設けたため、ドア枠１４と下地フレーム３１との間からの雨水等の浸入を抑制できる。特に、ドア枠１４において側面部よりも外壁フレーム２３の側に突出する突出部にガスケット４９を設けたため、外壁フレーム２３と下地フレーム３１との接合の境界部付近において止水の一層の適正化を図ることができる。
【００６１】
ここで、ガスケット４９を有する外壁側延出部４１ｃの一部が目地側に突出する構成では、その突出部分と目地内のガスケット２７との干渉が懸念されるが、上記のとおり下地フレーム３１の屋外側面が外壁フレーム２３の屋外側面に対して屋内側にずれているため、突出部分と目地内のガスケット２７とが干渉せず、干渉に起因するガスケット２７の破損等を抑制できる。
【００６２】
ドア枠１４において側面部が外壁フレーム２３に対して離間しているため、外壁面材２２とドア枠１４の側面部との間に目地を形成する上で、所望とする目地寸法の確保が容易となる。また、外壁側延出部４１ｃの先端部（突出部）が外壁フレーム２３に対して当接しているため、ガスケット４９の位置が極力、外壁フレーム２３の側に寄り、外壁フレーム２３と下地フレーム３１との境界部における止水性能を確保する上で有利となる。
【００６３】
ドア枠１４の縦枠本体４１において、外壁側延出部４１ｃが、目板受け４３の屋内側において下地フレーム３１に重なるようにして延びているため、下地フレーム３１に対する外壁側延出部４１ｃの固定（ひいてはガスケット４９の固定）を容易に実施できる。また、縦枠本体４１に対して目板受け４３が一体化された状態で、外壁側延出部４１ｃの先端部が突出部となり、目板受け４３の側面部よりも外壁フレーム２３の側に突出するため、外壁フレーム２３と下地フレーム３１との接合の境界部付近において好適な止水を実現できる。
【００６４】
下地フレーム３１として、ウェブ幅が外壁フレーム２３のウェブ幅よりも小さい溝形鋼を用いる構成にしたため、下地フレーム３１の屋内側面が、外壁フレーム２３の屋内側面に対して壁厚み方向に同じ位置に在り、かつ、下地フレーム３１の屋外側面が、外壁フレーム２３の屋外側面に対して屋内側にずれているといった構成を簡易に実現できる。
【００６５】
［他の実施形態］
本発明は上記実施形態の記載内容に限定されず、例えば次のように実施されてもよい。
【００６６】
・上記実施形態では、外壁面材２２の端面と目板受け４３の側面部との二面によりガスケット２７を挟持する構成としたが、これに代えて、外壁面材２２の端面と縦枠目板４２の側面部との二面によりガスケット２７を挟持する構成としてもよい。また、縦枠目板４２と目板受け４３との２部材により目板部材を構成することに代えて、目板部材を１部材により構成することも可能である。
【００６７】
・上記実施形態では、戸部材として開き戸であるドアを想定したが、これ以外に戸部材として引き戸を有する構成であってもよい。この場合、引き戸を保持する建具枠の取付構造として上記構成が採用される。
【００６８】
・鋼材フレームを用いた構成に代えて、木フレームを用いた構成であってもよい。この場合、外壁フレーム２３及び下地フレーム３１の少なくともいずれかが木製の角材により構成されているとよい。
【００６９】
・上記実施形態では、玄関用の建具枠を想定したが、これ以外に、例えば勝手口用の建具枠について具体化してもよい。その他、ユニット式建物以外の建物での具体化も可能である。
【符号の説明】
【００７０】
１０…建物、１１…外壁、１２…開口部、１４…ドア枠（建具枠）、１５…ドア本体（戸部材）、２１…外壁パネル（外壁部材）、２２…外壁面材、２３…外壁フレーム、２４…内壁パネル（内壁部材）、２７…ガスケット、３１…下地フレーム、４１…縦枠本体（枠本体）、４２…縦枠目板（目板部材）、４３…目板受け（目板部材）、４９…ガスケット。
【図１】
0006604773.tif 000002
【図２】
0006604773.tif 000003
【図３】
0006604773.tif 000004
【図４】
0006604773.tif 000005
【図５】
0006604773.tif 000006